(57)【要約】      （修正有）【課題】椅子として安全に使用でき、衣服を汚さず、室内へ持ち込んでも床を汚さないリュックサックを提供する。【解決手段】蓋部材１１を収容溝１０に対して移動させ、収容溝１０の開口する部分を開放する。次に、リュックサック本体２の両側面にある固定レバー４を外側に引いて、固定ピン１９を上方側の固定孔１７から外す。この状態で固定レバー４を下方へ移動し、固定ピン１９を下方側の固定孔１７に挿入する。固定レバー４がガイド部材３のうち下方側の固定孔１７に相当する位置に固定される。また、これに伴って第１脚部材５及び第２脚部材６も下方に移動し、さらに第１接地部材８及び第２接地部材９も下方に移動する。この移動によって、第１接地部材８及び第２接地部材９は、収容溝１０からその下方側に突出する（離脱する）。その後、連結部材７によって制限されるまで第１脚部材５に対して第２脚部材６を開脚させ、椅子として使用する。【選択図】図１
2010194264.tif 000002
【特許請求の範囲】
【請求項１】
リュックサック本体と、該リュックサック本体の両側面に設けられた一対のガイド部材と、該一対のガイド部材のそれぞれに上下方向移動可能に基端部分が連結されるとともに前記リュックサック本体の底部付近に先端部分が位置する一対の第１脚部材と、該一対の第１脚部材のそれぞれに前記第１脚部材に対して開脚可能に連結された一対の第２脚部材と、前記一対の第１脚部材の先端部分同士をつなぐ第１接地部材と、前記一対の第２脚部材の先端部分同士をつなぐ第２接地部材と、前記リュックサック本体の底部分において側面方向に伸延するように配設されるとともに下方に開口する収容溝と、該収容溝の開口する部分を閉鎖可能に移動する蓋部材と、を備え、
前記第１脚部材に対して前記第２脚部材を閉脚させた状態で、前記第１脚部材の基端部分を前記ガイド部材の上方に移動したとき、前記第１接地部材及び前記第２接地部材が前記収容溝に収容され、その状態において前記蓋部材が前記収容溝の開口する部分を閉鎖でき、かつ、前記収容溝の開口する部分を開放した状態で、前記第１脚部材の基端部分を前記ガイド部材の下方に移動したとき、前記第１接地部材及び前記第２接地部材が前記収容溝から離脱するように構成された、リュックサック。
【請求項２】
前記リュックサック本体の上方部分において、前記リュックサック本体の側面から外方に向かって伸長可能な搬送棒をさらに備え、前記第１接地部材及び前記第２接地部材はそれぞれ下方に突出するローラー部を有する、請求項１に記載のリュックサック。
【発明の詳細な説明】
【技術分野】
【０００１】
本発明は、椅子として使用することができるリュックサックに関する。
【背景技術】
【０００２】
リュックサックは、他のカバンに比べ比較的長い時間歩き続ける場合などに向いており、テーマパークに出かける際に利用される場合も多い。一方、テーマパークでは、アトラクションの待ち時間が長いことも多く、この場合にはリュックサックを椅子のように使用できれば便利である。
【０００３】
そこで従来、リュックサックと折畳み椅子を一体化したものが提案されている（特許文献１参照）。かかる発明の折畳み椅子は、平面状に折畳まれている状態から広げて使用するものであるから、座面の位置が低すぎて、一般的な高さの椅子に比べ、座りやすいものではなかった。
【０００４】
また、リュックサックではないが、椅子に変形できるものとして伸縮脚を付加したカバンが提案されている（特許文献２参照）。このカバンは、両側面から４本の脚を引き出すことができ、この４本の脚でカバン本体を支え、全体として椅子のように使用することができる。確かに、このカバンは座面の位置が比較的高く、椅子としては楽に座ることができるが、脚を１本ずつ伸縮させる必要がある上に、脚を固定する部分の強度が低く安全性に欠け、また、脚の先端が細いため安定性に欠けるものであった。
【０００５】
なお、このカバンについて、安全性及び安定性を向上させるために、脚の先端部分を大きくする等の改良をすることも考えられるが、この場合には脚の先端部分までは収納することができず、先端部分が露出した状態になってしまう。そのため、リュックサックとして使用した場合、使用者の衣服を汚してしまうおそれがある上に、室内へ持ち込むと床を汚してしまうことになる。
【先行技術文献】
【特許文献】
【０００６】
【特許文献１】特開平１１−２８５４０７号公報
【特許文献２】登録実用新案第３０３９５４０号公報
【発明の概要】
【発明が解決しようとする課題】
【０００７】
本発明は上記のような課題を解決するためになされたものであって、椅子として安全に使用できるとともに、リュックサックとして使用した場合に使用者の衣服を汚さず、室内へ持ち込んでも床を汚さないリュックサックを提供することを目的としている。
【課題を解決するための手段】
【０００８】
本発明は上記のような課題を解決するためになされたものであって、本発明に係るリュックサックは、リュックサック本体と、該リュックサック本体の両側面に設けられた一対のガイド部材と、該一対のガイド部材のそれぞれに上下方向移動可能に基端部分が連結されるとともに前記リュックサック本体の底部付近に先端部分が位置する一対の第１脚部材と、該一対の第１脚部材のそれぞれに前記第１脚部材に対して開脚可能に連結された一対の第２脚部材と、前記一対の第１脚部材の先端部分同士をつなぐ第１接地部材と、前記一対の第２脚部材の先端部分同士をつなぐ第２接地部材と、前記リュックサック本体の底部
分において側面方向に伸延するように配設されるとともに下方に開口する収容溝と、該収容溝の開口する部分を閉鎖可能に移動する蓋部材と、を備え、前記第１脚部材に対して前記第２脚部材を閉脚させた状態で、前記第１脚部材の基端部分を前記ガイド部材の上方に移動したとき、前記第１接地部材及び前記第２接地部材が前記収容溝に収容され、その状態において前記蓋部材が前記収容溝の開口する部分を閉鎖でき、かつ、前記収容溝の開口する部分を開放した状態で、前記第１脚部材の基端部分を前記ガイド部材の下方に移動したとき、前記第１接地部材及び前記第２接地部材が前記収容溝から離脱するように構成されている。
【０００９】
なお、上記のうち「側面方向」とは、リュックサック本体の一方の側面から他方の側面に向かう方向をいい、また、「閉脚」とは、第１脚部材と第２脚部材とが実質的に角度をなさないようにして閉じることをいう。上記の構成によれば、一対の第１脚部及び一対の第２脚部がそれぞれ第１接地部材及び第２接地部材で連結されているため、椅子として使用する際に椅子の脚としての役割を果たす第１脚部材及び第２脚部材の強度が高く、椅子として安全に使用することができる。また、第１接地部材及び第２接地部材が収容溝に収容されたとき、蓋部材によって収容溝の開口部分が閉鎖されるため、第１接地部材及び第２接地部材は露出することがなく、リュックサックとして使用した場合に使用者の衣服が汚れることはない。また、室内へ持ち込んでも床が汚れることはない。
【００１０】
また、上記のリュックサックにおいて、前記リュックサック本体の上方部分において、前記リュックサック本体の側面から外方に向かって伸長可能な搬送棒をさらに備え、前記第１接地部材及び前記第２接地部材はそれぞれ下方に突出するローラー部を有するようにしてもよい。かかる構成によれば、リュックサックをキャリーバッグのように使用することができる。
【発明の効果】
【００１１】
本発明によれば、椅子として安全に使用できるとともに、リュックサックとして使用した場合に使用者の衣服を汚さず、室内へ持ち込んでも床を汚さないリュックサックを提供することができる。
【図面の簡単な説明】
【００１２】
【図１】本発明の実施形態に係るリュックサックの背面図及び側面図であって、リュックサックとして使用する状態の図である。
【図２】本発明の実施形態に係るリュックサックの正面図及び側面図であって、椅子又はキャリーバッグとして使用する状態の図である。
【発明を実施するための形態】
【００１３】
以下、本発明に係るリュックサックについて図を参照しながら説明する。以下では、全ての図面を通じて同一又は相当する要素には同じ符号を付して、その重複する説明を省略する。まず、図１及び図２を参照して、本実施形態に係るリュックサックの構造について説明する。図１は本実施形態に係るリュックサック１を示した図であって、（ａ）が右側面図、（ｂ）が背面図である。また、図２は、本実施形態に係るリュックサック１を示した図であって、（ａ）が正面図、（ｂ）が右側面図である。ただし、図１はリュックサックとして使用する状態の図であるのに対し、図２は椅子又はキャリーバッグとして使用する状態の図である。
【００１４】
なお、以下では便宜上、図２（ａ）の紙面右側を「右側」、紙面左側を「左側」と定義して説明する。つまり、図１（ｂ）の紙面右側が「左側」となり、紙面左側が「右側」となる。図１及び図２に示すように、本実施形態に係るリュックサック１は、リュックサック本体２と、ガイド部材３と、固定レバー４と、第１脚部材５と、第２脚部材６と、連結
部材７と、第１接地部材８と、第２接地部材９と、収容溝１０と、蓋部材１１と、搬送棒１２と、から主に構成されている。以下、各構成について順に説明する。
【００１５】
リュックサック本体２は、一般的なリュックサックが有する機能を有している。つまり、リュックサック本体２は、内部に荷物を収容するための荷物収容部１３と、使用者がリュックサック１を背負うための肩ベルト１４を有している。なお、リュックサック本体２には、フレーム１５が組み込まれており、大人が座っても十分耐えられる程度の剛性を有している。特に、リュックサック本体２の上面は、使用者が座りやすいように角を丸めた平面とするのが望ましい。
【００１６】
ガイド部材３は、固定レバー４を上下方向に移動させ、ひいては第１脚部材５及び第２脚部材６を上下方向に移動させるための部材である。ガイド部材３は、リュックサック本体２の上方部分であってその両側面に一対になるよう設けられており、それぞれ前方側（正面側）に傾くように形成されている。ガイド部材３にはガイド部材３の伸延方向に沿って固定レバー４の一部がはまり込むように形成されたガイド溝１６が設けられており、このガイド溝１６は固定レバー４をガイドする機能を有している。また、ガイド部材３の上方部分及び下方部分の２個所に固定孔１７が設けられており、これらの固定孔１７はリュックサック本体２の内部側に向かって貫通するように形成されている。
【００１７】
固定レバー４は、第１脚部材５及び第２脚部材６をガイド部材３に固定する媒体としての機能を有している。固定レバー４は、外部のグリップ部１８と、グリップ部１８からリュックサック本体２の内側へ伸延する固定ピン１９と、グリップ部１８及び固定ピン１９をリュックサック本体２の内側に向かって付勢する付勢部材（図示せず）とから構成されている。固定ピン１９は、ガイド部材３の上方側及び下方側に設けられた固定孔１７に挿入できるように構成されており、固定ピン１９がこれらの固定孔１７に挿入されたとき、固定レバー４はその固定孔１７に対応する位置でガイド部材３に固定される。つまり、本実施形態では、固定レバー４はガイド部材３の上方部分又は下方部分のいずれかに固定されることになる。また、付勢部材に抗してグリップ部１８を外側に引けば、固定ピン１９を固定孔１７から抜くことができる。そして、固定ピン１９を固定孔１７から抜いた状態で、固定レバー４をガイド部材３のガイド溝１６に沿ってスライドさせることができる。
【００１８】
第１脚部材５は、リュックサック１を椅子として使用する際、椅子の脚としての役割を果たす部材である。第１脚部材５の基端部分は固定レバー４に連結されており、先端部分はリュックサック本体２の底部付近に位置している。第１脚部材５は、このように構成されているため、固定レバー４がガイド溝１６に沿ってガイド部材３の上方から下方又は下方から上方へ移動することにより、第１脚部材５もまたガイド部材３に対して上下方向に移動する。また、第１脚部材５の基端部分は固定ピン１９を軸として回転可能に連結されている。ただし、リュックサック本体２には貫通孔２０を有するスリーブ部材２１が取り付けられており、第１脚部材５はこのスリーブ部材２１の貫通孔２０の内部を貫通している。そのため、第１脚部材５はこの貫通孔２０の貫通方向にのみに移動が制限されることになる。
【００１９】
第２脚部材６は、リュックサック１を椅子として使用する際、椅子の脚としての役割を果たす部材である。第２脚部材６の基端側は、第１脚部材５の基端側と同様に、固定ピン１９を軸として回転可能に固定レバー４に固定されている。ただし、第１脚部材５とは異なり、第２脚部材６にはスリーブ部材は取り付けられておらず、第２脚部材６が上下方向の移動にのみ制限されるようなことはない。そのため、第２脚部材６は、第１脚部材５に対して角度をなして開く（以下、「開脚」という）ことができる。なお、第１脚部材５と第２脚部材６が角度をなさないように閉じた（以下、「閉脚」という）状態において、第１脚部材５と第２脚部材６の先端部分は接するように構成されている。なお、本実施形態
では、第１脚部材５と第２脚部材６とが固定ピン１９を軸として開脚可能に固定されているが、第２脚部材６を第１脚部材５の中央付近で連結し、その連結部分を軸として第１脚部材５に対して第２脚部材６が開脚するように構成してもよい。
【００２０】
連結部材７は、第１脚部材５と第２脚部材６とをそれぞれの中央付近で連結するための部材である。連結部材７は、いわゆるヒンジであって、第１連結部２２と第２連結部２３とから主に構成されている。第１連結部２２は、第１脚部材５と第２連結部２３とにそれぞれ回転可能に連結されている。また、第２連結部２３は、第２脚部材６と第１連結部２２とにそれぞれ回転可能に連結されている。そのため、第１脚部材５と第２脚部材６が閉脚状態のときには、第１連結部２２と第２連結部２３が重なり、連結部材７が折畳まれた状態となる。一方、第１脚部材５と第２脚部材６を開脚していくと、次第に連結部材７が伸びて第１連結部２２と第２連結部２３とが直線に近い状態になり、このとき第１脚部材５に対して第２脚部材６の開脚が制限される。
【００２１】
第１接地部材８は、リュックサック１を椅子として使用する際、地面に接地することになる部材である。第１接地部材８は、水平方向に伸延しており、上述したリュックサック本体２の両側面に配設された一対の第１脚部材５の両先端部分に連結されており、両先端部分をつないでいる。なお、本実施形態では、第１接地部材８は下方に突出する接地片２４とローラー部２５とを有している。このうちローラー部２５は、第１接地部材８のうち中央よりやや右側に配設されており、また、リュックサック本体２の左右方向に転がることができる。
【００２２】
第２接地部材９は、リュックサック１を椅子として使用する際、地面に接地することになる部材であり、第１接地部材８と基本的に同じ形状を有している。第２接地部材９は、水平方向に伸延しており、上述したリュックサック本体２の両側面に配設された一対の第２脚部材６の両先端部分に連結されており、両先端部分をつないでいる。なお、本実施形態では、第２接地部材９は下方に突出する接地片２６とローラー部２７とを有している。このうちローラー部２７は、第２接地部材９のうち中央よりやや右側に配設されており、また、リュックサック本体２の左右方向に転がることができる。
【００２３】
収容溝１０は、第１接地部材８及び第２接地部材９を収容する機能を有している。収容溝１０は、リュックサック本体２の底部分において、リュックサック本体２の左右方向（側面方向）に伸延するように配設されている。また、収容溝１０は、円筒に近い形状を有しているがその底面が欠落しており、左右方向にわたって下方が開口する形状を有している。なお、収容溝１０は第１接地部材８及び第２接地部材９を収容できる程度の内径を有しており、収容溝１０の開口する部分は第１接地部材８及び第２接地部材９が通過できる程度の幅を有している。
【００２４】
蓋部材１１は、収容溝１０の開口する部分を閉鎖する機能を有している。蓋部材１１は、収容溝１０の径よりもやや小さいが、左右の端部に部分的な側壁を有している以外は収容溝１０とほぼ同じ形状を有している。蓋部材１１は、その外周面が収容溝１０の内周面に接するようにして、収容溝１０の内部に挿入されている。蓋部材１１は、収容溝１０の中心軸を軸として収容溝１０の内周面に沿って回転できるように構成さており、収容溝１０の開口する部分に位置したとき、この開口する部分を閉鎖する。
【００２５】
搬送棒１２は、本実施形態に係るリュックサック１をキャリーバッグのように使用する際に取っ手として機能する部材である。搬送棒１２は、リュックサック本体２の上方部分において、リュックサック本体２の左側面から外方に向かって伸長できるように構成されている。なお、図１に示すように、第１接地部材８及び第２接地部材９のローラー部２５、２７と搬送棒１２とは左右方向において反対になるように配設されている。また、搬送
棒１２の先端部分には、ストラップ２８が取り付けられている。以上が、本実施形態に係るリュックサック１の構造である。
【００２６】
次に、図１及び図２を参照して、本実施形態に係るリュックサック１の使用方法について説明する。まず、図１に示す状態から図２に示す状態に変形する手順、つまり、リュックサックとして使用する状態から椅子又はキャリーバッグとして使用する状態に変形する手順について説明する。
【００２７】
まず、図１に示す状態から蓋部材１１を収容溝１０に対して移動させ、収容溝１０の開口する部分を開放する。次に、リュックサック本体２の両側面にある固定レバー４を外側に引いて、固定ピン１９を上方側の固定孔１７から外す。この状態で固定レバー４を下方へ移動し、固定ピン１９を下方側の固定孔１７に挿入する。これにより、固定レバー４がガイド部材３のうち下方側の固定孔１７に相当する位置に固定される。また、これに伴って第１脚部材５及び第２脚部材６も下方に移動し、さらに第１接地部材８及び第２接地部材９も下方に移動する。この移動によって、第１接地部材８及び第２接地部材９は、収容溝１０からその下方側に突出する（離脱する）。その後、連結部材７によって制限されるまで第１脚部材５に対して第２脚部材６を開脚させる。以上の手順を経ることによって、本実施形態に係るリュックサック１を椅子として使用することができる。なお、椅子として使用する場合には、ローラー部２５、２７のみならず、回転等の運動を行わない接地片２４、２６が地面に接地するため、使用者が座った状態でリュックサック１が移動してしまうようなことはない。
【００２８】
さらに、リュックサック１をキャリーバッグとして使用する場合は、搬送棒１２を外方に伸長させる。これが、図２に示す状態である。この状態で、搬送棒１２の先端付近に取り付けられているストラップ２８を持ち上げれば、第１接地部材８及び第２接地部材９の下方に突出する接地片２４、２６が浮き、リュックサック１の重量をローラー部２５、２７に乗せることができる。よって、ストラップ２８を持ち上げた状態で、使用者が左方向に移動すれば、小さな力でリュックサック１を移動させることができ、その結果、キャリーバッグとして使用することができる。また、テーマパークでの順番待ちの際にリュックサック１を椅子として使用する場合は、使用者は搬送棒１２を前方にしてリュックサック１にまたがった状態で座り、行列が２、３ｍ進行したときには、腰を浮かしてストラップ２８を持ち上げ、その体勢でローラー部２５、２７を使ってリュックサック１とともに前進すれば、疲労の少ない順番待ちが可能である。
【００２９】
以上のように、本実施形態によれば、接地する部分である第１接地部材８及び第２接地部材９はそれぞれ一対の第１脚部材５及び一対の第２脚部材６によって支えられており、さらには第１脚部材５と第２脚部材６とが固定レバー４を介してそれらの基端部分で連結されるとともに、連結部材７を介してそれらの中央部分で連結されているため、椅子又はキャリーバッグとしての強度を十分に確保することができ安全に使用することができる。
【００３０】
次に、図２に示す状態から図１に示す状態に変形する手順、つまり、椅子又はキャリーバッグとして使用する状態からリュックサックとして使用する状態に変形する手順について説明する。基本的には、上述したリュックサックとして使用する状態から椅子又はキャリーバッグとして使用する状態に変形する手順と逆の手順を経ることにより、図１に示す状態に変形することができる。
【００３１】
具体的には、図２に示す状態から、搬送棒１２を収縮させた後、第１脚部材５に対して第２脚部材６を閉脚させる。続いて、固定レバー４を外方に引いて、固定ピン１９を下方側の固定孔１７から外す。この状態で固定レバー４をガイド部材３の上方へ移動し、固定ピン１９を上方側の固定孔１７に挿入する。これにより固定レバー４がガイド部材３のう
ち上方側の固定孔１７に相当する位置に固定される。また、これに伴って、第１脚部材５及び第２脚部材６も上方に移動し、さらに第１接地部材８及び第２接地部材９も上方に移動して収容溝１０の内部に収容される。そして最後に、蓋部材１１を収容溝１０に対して移動させ、収容溝１０の開口する部分を閉鎖する。
【００３２】
以上のように、椅子として使用した際に接地部分となる第１接地部材８及び第２接地部材９が、図１に示す状態では収容溝１０と蓋部材１１とで包まれることになり、第１接地部材８及び第２接地部材９が外部へ露出することはない。よって、図１に示す状態で使用者が本実施形態に係るリュックサック１を背負ったとしても、椅子として使用する際に接地部分となる第１接地部材８及び第２接地部材９が、使用者の衣服に接することは無く、その結果、使用者の衣服が汚れるようなことはない。また、リュックサック１を室内へ持ち込んでも床を汚すことはない。
【００３３】
以上、本発明に係る実施形態について図を参照して説明したが、具体的な構成はこれらの実施形態に限られるものではなく、この発明の要旨を逸脱しない範囲の設計の変更等があっても本発明に含まれる。
【産業上の利用可能性】
【００３４】
本発明によれば、椅子として安全に使用できるとともに、リュックサックとして使用した場合に使用者の衣服を汚さず、室内へ持ち込んでも床を汚さないリュックサックを提供することができる。よって、リュックサックの技術分野において有益である。
【符号の説明】
【００３５】
１  リュックサック
２  リュックサック本体
３  ガイド部材
５  第１脚部材
６  第２脚部材
８  第１接地部材
９  第２接地部材
１０  収容溝
１１  蓋部材
１２  搬送棒
２５  ローラー部
２７  ローラー部
【図１】
2010194264.tif 000003
【図２】
2010194264.tif 000004